(57)【要約】【課題】従来の胡麻すり袋は指先に力を必要とする割りには効率が悪いため、食する少量分を効率よく擦れ、かつ手の平のツボ刺激による血行促進効果を得られる胡麻擦り器を提供する。【解決手段】縦断面がＵ字状を成す容体の内側底面に数多くの条溝３を有し、かつ外側の底面に複数個の突起４を設けた擦り鉢２に、突起４付き握り部６を有する擦り棒５と凹部８付き置台７を組み合わせて成る胡麻擦り器１とする。【選択図】図１
0003115019.tif 000002
【実用新案登録請求の範囲】
【請求項１】
縦断面がＵ字状を成す容体の内側底面に数多くの条溝を有するとともに、かつ外側底面に複数個の突部を設けた擦り鉢を形成し、その擦り鉢に、握り部に複数個の突起を設けた擦り棒を組み合わせて成る構成を特徴とする血行促進型胡麻擦り器。
【請求項２】
上記する擦り鉢に、凹部を形成した置台を組み合わせて成る請求項１に記載する血行促進型胡麻擦り器。
【考案の詳細な説明】
【技術分野】
【０００１】  本考案は、胡麻を擦りながら手の平のツボを刺激して血行促進効果を得られる胡麻擦り器に関する。
【背景技術】
【０００２】  従来より、胡麻は優良健康食材として知られており、その胡麻を擦るための一般的な器具としては、逆円錐状の容器の底面に数多くの条溝を付けた擦り鉢と擦り棒を用いて胡麻を擦り潰して食用に供している。【０００３】  さらに胡麻を封入した袋の上下内側面に多数の凸条を付設した袋内に胡麻を入れてから手で揉むことで、胡麻を擦り潰せる胡麻すり袋の技術もある。（特許文献１参照）
【特許文献１】特開平８−１５１０８５公報（第２−３頁、図２）
【考案の開示】
【考案が解決しようとする課題】
【０００４】  上記のような胡麻擦り器や胡麻すり袋の技術が提供されている。しかし従来より行われる擦り鉢と擦り棒で胡麻を擦り潰す方法は、条溝を付けた擦り鉢に胡麻を入れた後に、単なる擦り棒を用いて擦るのみであり、それ以上の効用は特に得られなかった。【０００５】  加えて、特開平８−１５１０８５公報による胡麻すり袋の技術は、袋の内面に細かい凸条を多数設けて成る袋に胡麻を入れてから指で揉みほぐすと、前記する数多くの凸条との摩擦で胡麻を擦り潰すものであるが、外皮が硬い胡麻を擦り潰すには袋の外側から強い指の力で、しかもきわめて長い時間を掛けて揉みほぐさない限り胡麻を細かく擦り潰せない。しかも、この袋は合成樹脂製であるので肝心の胡麻が擦り潰せる前に袋が破れてしまう要因もあるなど、不便や欠点が多く実際的には使えない胡麻すり袋の技術である。
【課題を解決するための手段】
【０００６】  本考案は上記するような不便や欠点を解消した胡麻擦り器を提供するために、請求項１においては、陶器や磁器などによる硬い素材により、縦断面がＵ字状を成す容体の内側底面に数多くの条溝を有し、かつ、外側の底面に複数個の突部を設けた擦り鉢を形成し、その擦り鉢に、握り部に突起を設けた擦り棒を組み合わせた胡麻擦り器を構成することで、食事前に必要な分の胡麻を簡単に擦り潰せるとともに、擦り鉢と握り部に設けた突起によって、手の平のツボ刺激を得て血行促進効果も得られる胡麻擦り器とする。【０００７】  請求項２においては、上記する擦り鉢に、凹部を形成した置台を組み合わせることで、擦り鉢をいつでも安定して保持できる胡麻擦り器とする。
【考案の効果】
【０００８】  本考案における胡麻擦り器は、手の平で掴める程度の条溝付き擦り鉢の外側底面に複数個の突起を設けるとともに、擦り棒の上部に位置する握り部面にも突起を設けているので、使用する際は一方の手に胡麻を入れた擦り鉢を握り、他方の手に擦り棒を持って擦るだけで、食べるのに必要な少量の胡麻を簡単に擦る潰せるため、いつでも新鮮で香ばしい擦り胡麻を食卓に提供できる。さらにコンパクトであるので常時卓上に置いても邪魔にならずに機能的に使える胡麻擦り器である。【０００９】  加えて、擦り鉢の外側底面と擦り棒の握り部面にも複数個の突起を設けているので、胡麻を擦る度に左右の手の平のツボを刺激することにより、胡麻擦りとともに血行促進効果を得られる従来には見られないユニークな胡麻擦り器である。また擦り鉢には専用の置台を組み合わせているので、胡麻擦り途中で中断する場合でも置台の凹部に載置すれば安定して保持できるうえ、専用のブラシ付き掻き出しヘラを使えば、条溝に入っている擦り胡麻も効率よくきれいに掻き出せる、機能的にしてツボ刺激による血行促進などの相乗効果も得られる胡麻擦り器を安価にして広く提供することができる。
【考案を実施するための最良の形態】
【００１０】  食事時に食べる分だけの胡麻を簡単に擦れるとともに、擦る作業において手の平のツボ刺激を得られる胡麻擦り器とするために、一方の手で持つ擦り鉢の外側底面にイボイボ状の突部を設け、他方、擦り棒の握り部面にも突部を設けた胡麻擦り器とする。
【実施例】
【００１１】  本考案における胡麻擦り器の実施例を図１に示す一部欠損した斜視図と図２に示す擦り鉢の縦断面図、図３に示す掻き出しヘラを示す斜視図で説明する。
本考案における胡麻擦り器１は、手の平で掴める大きさで、かつ縦断面形状がＵ字状を成す容体の内側底面に多数の条溝３を設け、さらに外側の底面には、適度な摩擦を有する突起４，４を複数個設けて成る擦り鉢２を陶器や磁器などによる硬質素材で形成し、その擦り鉢２に、硬い木材等による擦り棒５の上端部に握り部６を設け、その握り部６面に、適度な大きさの突起４，４を数多く形成して成る擦り棒５を組み合わせるとともに、前記した擦り鉢２を安定して保持できる置台７として、上面に凹部８を設けた置台７を組み合わせて成る胡麻擦り器１を構成する。さらに、この胡麻擦り器１に、擦り胡麻を効率よく掻き出せる専用具として、図４に示すような竹や合成樹脂素材によるブラシ９付き掻き出しヘラ１０を組み合わせる。【００１２】  本考案による擦り鉢２は、手の平で掴める大きさの擦り鉢２とし、その外側底面に複数個の突起４を設けるとともに、他方の擦り棒５の握り部６面にも数多くの突起４を設けているので、使用する際は、擦り鉢２に適量の胡麻を入れた擦り鉢２を一方の手の平で握ったうえで、他方の手で擦り棒５の握り部６を掴んで擦るだけで、食べる分の胡麻をそのつど簡単に擦り潰せる。それとともに、擦り鉢２の外側面の突起４や擦り棒５の握り部６にも突起４を設けているため、胡麻擦り作業を行う度に手の平に突起４による刺激を受けるので、ツボ刺激による血行促進による健康効果も得られる胡麻擦り器１である。さらに擦り鉢２には、凹部８を設けた置台７が組み合わされるので、胡麻擦り途中であっても凹部８に安定して載置できるとともに、擦り終わった後は、別体のブラシ９付き掻き出しヘラ１０を用いると、細かい条溝３に入っている擦り胡麻を効率よくきれいに掻き出せる。【００１３】  本考案における擦り鉢２の素材は、陶器や磁器など硬質な素材が好ましいが、硬質素材であれば合成樹脂製を採用してもよく、また擦り棒５も硬い木材などがよいが、これも合成樹脂製であってもよく、いずれも特に限定されるものではない。
【産業上の利用可能性】
【００１４】  本考案は胡麻を擦り潰すための器具であるが、他の食材や錠剤を擦り潰す擦り鉢としても適用できる。
【図面の簡単な説明】
【００１５】
【図１】本考案の胡麻擦り器の実施例を示す一部欠損した斜視図である。
【図２】擦り鉢を示す縦断面図である。
【図３】専用の掻き出しヘラを示す斜視図である。
【符号の説明】
【００１６】  １  胡麻擦り器
２  擦り鉢
３  条溝
４  突起
５  擦り棒
６  握り部
７  置台
８  凹部
９  ブラシ
１０  掻き出しヘラ
【図１】
0003115019.tif 000003
【図２】
0003115019.tif 000004
【図３】
0003115019.tif 000005